【手続補正書】
【提出日】平成25年3月15日(2013.3.15)
【手続補正１】
【補正対象書類名】明細書
【補正対象項目名】０００７
【補正方法】変更
【補正の内容】
【０００７】
上記目的達成のため、請求項１記載の発明は、被写体を連続して撮像することで、画像を順次出力する撮像手段と、前記撮像手段により出力された画像を順次合成することにより、当該出力された画像よりも広角な合成画像を生成する生成手段と、前記撮像手段による撮像状態を順次判断する状態判断手段と、前記状態判断手段による判断結果に対応する指標画像を表示手段に表示させる第１の表示制御手段とを備えることを特徴とする撮像装置である。
【手続補正２】
【補正対象書類名】明細書
【補正対象項目名】０００８
【補正方法】変更
【補正の内容】
【０００８】
また、好ましい態様として、例えば請求項２記載のように、請求項１に記載の撮像装置において、前記指標画像は、前記合成画像の生成状態を示す画像であり、前記状態判断手段は、前記撮像状態として、前記生成手段による合成画像の生成状態を順次判断し、前記第１の表示制御手段は、前記状態判断手段により判断された生成状態に対応する指標画像を前記表示手段に表示させることを特徴とする。
【手続補正３】
【補正対象書類名】明細書
【補正対象項目名】０００９
【補正方法】変更
【補正の内容】
【０００９】
また、好ましい態様として、例えば請求項３記載のように、請求項２に記載の撮像装置において、前記指標画像は、前記撮像手段の撮像方向を示す画像であり、前記第１の表示制御手段は、前記状態判断手段により判断された生成状態に基づいて、前記指標画像の一部の色を変更したものを前記表示手段に表示させることを特徴とする。
【手続補正４】
【補正対象書類名】明細書
【補正対象項目名】００１０
【補正方法】変更
【補正の内容】
【００１０】
また、好ましい態様として、例えば請求項４記載のように、請求項１から３の何れかに記載の撮像装置において、前記生成手段による合成画像を生成するために必要な撮像範囲を前記表示手段に表示させる第２の表示制御手段を更に備え、前記状態判断手段は、前記撮像手段により撮像された画像が前記撮像範囲内にあるか否かを順次判断し、前記第１の表示制御手段は、前記状態判断手段により前記撮像範囲内にないと判断されると、前記撮像手段による撮像方向を変更すべき旨の指標画像を前記表示手段に表示させることを特徴とする。
【手続補正５】
【補正対象書類名】明細書
【補正対象項目名】００１１
【補正方法】変更
【補正の内容】
【００１１】
また、好ましい態様として、例えば請求項５記載のように、請求項１から４の何れかに記載の撮像装置において、前記第２の表示制御手段は、更に、前記撮像範囲における未撮像部分の領域を、前記撮像範囲と、前記指標画像とともに前記表示手段に表示させることを特徴とする。
【手続補正６】
【補正対象書類名】明細書
【補正対象項目名】００１２
【補正方法】変更
【補正の内容】
【００１２】
また、好ましい態様として、例えば請求項６記載のように、請求項１に記載の撮像装置において、前記状態判断手段は、前記撮像の状態として、撮像時におけるユーザによる前記撮像手段の移動速度を判断し、前記表示制御手段は、前記状態判断手段により判断された移動速度に応じた指標画像を前記表示手段に表示させることを特徴とする。
【手続補正７】
【補正対象書類名】明細書
【補正対象項目名】００１３
【補正方法】変更
【補正の内容】
【００１３】
また、好ましい態様として、例えば請求項７記載のように、請求項１乃至６の何れかに記載の撮像装置において、前記第１の表示制御手段は、更に、前記指標画像を前記撮像範囲の一部の領域に重畳させるように前記表示手段に表示させることを特徴とする。
【手続補正８】
【補正対象書類名】明細書
【補正対象項目名】００１４
【補正方法】変更
【補正の内容】
【００１４】
また、好ましい態様として、例えば請求項８記載のように、請求項１乃至６の何れかに記載の撮像装置において、前記第１の表示制御手段は、更に、前記指標画像を前記撮像範囲の全体の領域に重畳させるように前記表示手段に表示させることを特徴とする。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
また、上記目的達成のため、請求項９記載の発明は、コンピュータを、撮像手段により出力された画像を順次合成することにより、当該出力された画像よりも広角な合成画像を生成する生成手段、前記撮像手段による撮像状態を順次判断する状態判断手段、前記状態判断手段による判断結果に対応する指標画像を表示手段に表示させる表示制御手段として機能させることを特徴とするプログラムである。
【手続補正１５】
【補正対象書類名】特許請求の範囲
【補正対象項目名】全文
【補正方法】変更
【補正の内容】
【特許請求の範囲】
【請求項１】
被写体を連続して撮像することで、画像を順次出力する撮像手段と、
前記撮像手段により出力された画像を順次合成することにより、当該出力された画像よりも広角な合成画像を生成する生成手段と、
前記生成手段により合成画像を生成している間に、前記撮像手段による撮像状態を順次判断する状態判断手段と、
前記状態判断手段による判断結果に対応する指標画像を表示手段に表示させる第１の表示制御手段と
を備えることを特徴とする撮像装置。
【請求項２】
前記指標画像は、前記合成画像の生成状態を示す画像であり、
前記状態判断手段は、前記撮像状態として、前記生成手段による合成画像の生成状態を順次判断し、
前記第１の表示制御手段は、前記状態判断手段により判断された生成状態に対応する指標画像を前記表示手段に表示させる
ことを特徴とする請求項１に記載の撮像装置。
【請求項３】
前記指標画像は、前記撮像手段の撮像方向を示す画像であり、
前記第１の表示制御手段は、前記状態判断手段により判断された生成状態に基づいて、前記指標画像の一部の色を変更したものを前記表示手段に表示させることを特徴とする請求項２に記載の撮像装置。
【請求項４】
前記生成手段による合成画像を生成するために必要な撮像範囲を前記表示手段に表示させる第２の表示制御手段を更に備え、
前記状態判断手段は、前記撮像手段により撮像された画像が前記撮像範囲内にあるか否かを順次判断し、
前記第１の表示制御手段は、前記状態判断手段により前記撮像範囲内にないと判断されると、前記撮像手段による撮像方向を変更すべき旨の指標画像を前記表示手段に表示させることを特徴とする請求項１から３の何れかに記載の撮像装置。
【請求項５】
前記第２の表示制御手段は、更に、前記撮像範囲における未撮像部分の領域を、前記撮像範囲と、前記指標画像とともに前記表示手段に表示させることを特徴とする請求項１から４の何れかに記載の撮像装置。
【請求項６】
前記状態判断手段は、前記撮像の状態として、撮像時におけるユーザによる前記撮像手段の移動速度を判断し、
前記表示制御手段は、前記状態判断手段により判断された移動速度に応じた指標画像を前記表示手段に表示させる
ことを特徴とする請求項１に記載の撮像装置。
【請求項７】
前記第１の表示制御手段は、更に、前記指標画像を前記撮像範囲の一部の領域に重畳させるように前記表示手段に表示させることを特徴とする請求項１から６の何れかに記載の撮像装置。
【請求項８】
前記第１の表示制御手段は、更に、前記指標画像を前記撮像範囲の全体の領域に重畳させるように前記表示手段に表示させることを特徴とする請求項１から６の何れかに記載の撮像装置。
【請求項９】
コンピュータを、
撮像手段により連続して撮像された被写体の画像を順次合成することにより、当該出力された画像よりも広角な合成画像を生成する生成手段、
前記生成手段により合成画像を生成している間に、前記撮像手段による撮像状態を順次判断する状態判断手段、
前記状態判断手段による判断結果に対応する指標画像を表示手段に表示させる表示制御手段
として機能させることを特徴とするプログラム。